(57)【要約】      （修正有）【課題】高アスペクト比を有する回路基板のスルーホールの化学的処理または電気化学処理装置を提供する。【解決手段】処理装置は、電気めっきタンク１０と、薬液貯蔵タンク２０と、回路基板４０を挟持して前記電気めっきタンクの内部に位置決めされる位置決めフレーム３０と、ポンプ５１により薬液が薬液貯蔵タンクから電気めっきタンクの薬液貯蔵エリアに汲み取られる液体供給配管と、位置決めフレームに対して電気めっきタンクの吸引エリア内部に位置決めされる吸引フードと、吸引フードに連結され、吸引ポンプにより薬液Ｗを吸引してスルーホールを通過させる吸引配管と、を備える。電気めっきタンクが位置決めフレーム及び回路基板により薬液貯蔵エリア１１と吸引エリア１２とに分割される。これにより、吸引により負圧を発生させて排流作用を発生させることにより、高アスペクト比を有する回路基板のスルーホールの処理効果が良好になる効果を有する。【選択図】図５
0003225501.tif 000002
【実用新案登録請求の範囲】
【請求項１】
電気めっきタンクと、
薬液貯蔵タンクと、
回路基板を挟持して前記電気めっきタンクの内部に位置決めされる位置決めフレームと、
薬液が前記薬液貯蔵タンクから前記電気めっきタンクの薬液貯蔵エリアに汲み取られる液体供給配管と、
前記位置決めフレームに対して前記電気めっきタンクの吸引エリア内部に位置決めされる吸引フードと、
前記吸引フードに連結され、吸引により負圧を発生させて薬液を回路基板のスルーホールを通過させると共に前記薬液貯蔵タンクまで吸引させる吸引配管と、
を備え、
前記前記電気めっきタンクが前記位置決めフレーム及び回路基板により薬液貯蔵エリアと吸引エリアとに分割され、
前記位置決めフレーム及び回路基板が前記電気めっきタンクの内部に位置決めされた後、前記液体供給配管が前記電気めっきタンクの薬液貯蔵エリアへの薬液の供給を開始し、薬液が動作液位に達すると、前記吸引配管が前記吸引フードにより吸引を行い、吸引された薬液が前記薬液貯蔵タンクに送られ、前記液体供給配管により前記電気めっきタンクの薬液貯蔵エリアへ薬液が供給されて循環使用され、前記吸引配管の吸引により薬液が回路基板のスルーホールを持続的に流通させて化学的処理または電気化学処理がなされることを特徴とする処理装置。
【請求項２】
前記液体供給配管は、ポンプにより薬液を前記薬液貯蔵タンクから前記電気めっきタンクの薬液貯蔵エリアに汲み取り、
前記吸引配管は、吸引ポンプにより薬液を回路基板のスルーホールを通過させると共に前記薬液貯蔵タンクまで吸引させることを特徴とする請求項１に記載の処理装置。
【請求項３】
前記電気めっきタンク内部には、前記位置決めフレームに対する位置決め台を有することを特徴とする請求項２に記載の処理装置。
【考案の詳細な説明】
【技術分野】
【０００１】
本考案は、高アスペクト比を有する回路基板のスルーホールの化学的処理または電気化学処理装置に関し、更に詳しくは、吸引により負圧を発生させて薬液を高アスペクト比のスルーホールに持続的に流通させる設計に関する。
【背景技術】
【０００２】
電子製品及び技術の不断の発展と革新に伴い、電子製品の設計概念は徐々に軽量薄型化、短小化に向かっており、プリント回路基板の設計も小孔径、高密度、多層化、微細ピッチ化の方向に発展している。層の増加及び孔径の微小化に伴い、製品のスルーホールのアスペクト比も顕著に高まっている。
【考案の概要】
【考案が解決しようとする課題】
【０００３】
しかしながら、図１Ａに示されるように、従来の化学的処理または電気化学処理は、一般的なアスペクト比（Ｔ１／ｄ１）のスルーホール４１ａに対しては好ましい処理効果を保持している。一方、図１Ｂに示されるように、従来の化学的処理または電気化学処理は、高アスペクト比（Ｔ２／ｄ２）のスルーホール４１ｂ（即ち、ディープホール）に対しては薬液をスルーホール４１ｂ内部に進入させるのが難しいため、孔口箇所に近接する内径のみに電気めっき層４２を有し、スルーホール４１ｂの中間位置には電気めっき処理効果を形成することが難しく、故に好ましい化学的処理または電気化学処理効果を得られなかった。
【０００４】
かかる従来の実情に鑑みて、本考案は、高アスペクト比を有する回路基板のスルーホールの化学的処理または電気化学処理装置を提供することを目的とする。吸引により負圧を発生させて排流作用を発生させることにより、高アスペクト比を有するスルーホール処理効果を良好にする効果を有する。
【課題を解決するための手段】
【０００５】
上記課題を解決するために、本考案のある態様の高アスペクト比を有する回路基板のスルーホールの化学的処理または電気化学処理装置は、電気めっきタンクと、薬液貯蔵タンクと、回路基板を挟持して電気めっきタンク内部に位置決めされる位置決めフレームと、薬液が薬液貯蔵タンクから電気めっきタンクの薬液貯蔵エリアに汲み取られる液体供給配管と、位置決めフレームに対して電気めっきタンクの吸引エリア内部に位置決めされる吸引フードと、吸引フードに連結され、吸引により負圧を発生させて薬液を回路基板のスルーホールを通過させると共に薬液貯蔵タンクまで吸引させる吸引配管と、を備える。電気めっきタンクが位置決めフレーム及び回路基板により薬液貯蔵エリアと吸引エリアとに分割される。
【０００６】
また、液体供給配管は、ポンプにより薬液を薬液貯蔵タンクから電気めっきタンクの薬液貯蔵エリアに汲み取る。吸引配管は、吸引ポンプにより薬液を回路基板のスルーホールを通過させると共に薬液貯蔵タンクまで吸引させる。また、電気めっきタンク内部には位置決めフレームに対する位置決め台を有する。
【０００７】
これにより、位置決めフレーム及び回路基板が電気めっきタンク内部に位置決めされた後、液体供給配管が電気めっきタンクの薬液貯蔵エリアへの薬液の供給を開始する。薬液が動作液位に達すると、吸引配管が吸引フードにより吸引を行い、吸引された薬液が薬液貯蔵タンクに送られ、液体供給配管により電気めっきタンクの薬液貯蔵エリアへ薬液が供給されて循環使用され、吸引配管の吸引により薬液が回路基板のスルーホールを持続的に流通させて化学的処理または電気化学処理がなされる。
【図面の簡単な説明】
【０００８】
【図１Ａ】通常のアスペクト比を有するスルーホールの化学的または電気化学処理による効果を示す概略図である。
【図１Ｂ】高アスペクト比を有するスルーホールの化学的または電気化学処理による効果を示す概略図である。
【図２】本考案の一実施形態による処理装置を説明する外観斜視図である。
【図３】本考案の一実施形態による処理装置を説明する一部の斜視図である。
【図４】本考案の一実施形態による処理装置を説明する横断面図である。
【図５】本考案の一実施形態による処理装置を説明する縦断面図である。
【図６】本考案の薬液を連続的に吸引して回路基板のスルーホールを流れる概略図である。
【図７】図６に示す７部の部分拡大図である。
【考案を実施するための形態】
【０００９】
以下に図面を参照して、本考案を実施するための形態について、詳細に説明する。なお、本考案は、以下に説明する実施形態に限定されるものではない。
【００１０】
（一実施形態）
まず、図２〜５を参照しながら、本考案をさらに詳しく説明する。本考案の一実施形態による処理装置は、電気めっきタンク１０と、薬液貯蔵タンク２０と、位置決めフレーム３０と、液体供給配管５０と、吸引フード６０と、吸引配管７０と、を備える。
【００１１】
電気めっきタンク１０は、内部に位置決め台１３を有する。位置決めフレーム３０は、回路基板４０を挟持して、電気めっきタンク１０内部の位置決め台１３に位置決めされる。電気めっきタンク１０は、位置決めフレーム３０及び回路基板４０により薬液貯蔵エリア１１と吸引エリア１２とに分割される。液体供給配管５０は、ポンプ５１により薬液Ｗが薬液貯蔵タンク２０から電気めっきタンク１０の薬液貯蔵エリア１１に汲み取られる。吸引フード６０は、位置決めフレーム３０に対して電気めっきタンク１０の吸引エリア１２内部に位置決めされる。吸引配管７０は、吸引フード６０に連結され、吸引ポンプ７１により吸引フード６０内部に負圧を発生させ、薬液Ｗを回路基板４０のスルーホールを通過させると共に、薬液貯蔵タンク２０まで吸引させる。
【００１２】
図６および図７に示すように、本実施形態では、位置決めフレーム３０及び回路基板４０が電気めっきタンク１０内部に位置決めされた後、液体供給配管５０が電気めっきタンク１０の薬液貯蔵エリア１１への薬液の供給を開始する。薬液Ｗが動作液位に達すると、吸引配管７０が吸引フード６０により吸引を行い、吸引された薬液Ｗは薬液貯蔵タンク２０に送られ、液体供給配管５０により薬液Ｗが電気めっきタンク１０の薬液貯蔵エリア１１に供給されて循環使用され、薬液Ｗが吸引配管７０の吸引によりスルーホール４１ｂに持続的に流通されて化学的処理または電気化学処理がなされる。このため、本実施形態は、吸引により負圧を発生させて薬液を高アスペクト比のスルーホール４１ｂに持続的に流通させることにより、高アスペクト比（Ｔ２／ｄ２）のスルーホール４１ｂの孔径（ｄ２）の形状が非常に細長くても、負圧による吸引により「排流作用」が発生するため、薬液Ｗがスルーホール４１ｂ内部をスムーズに持続的に流通するようになる。よって、図７に示されるように、非常に微細な孔径（ｄ２）の電気めっき層４２も孔径（ｄ２）内部でも非常に均一になり、図１Ｂに示される先行技術では高アスペクト比（Ｔ２／ｄ２）のスルーホール４１ｂに対しては孔口箇所に近接する内径にのみ電気めっき層４２を有するという問題点が改善される。ゆえに、本考案は負圧による吸引により「薬液排流作用」を発生させる技術手段を用い、確実にブレークスルーを起こし、高アスペクト比のスルーホール処理効果を高める。
【００１３】
以上、本考案の実施形態について図面を参照して詳述したが、具体的な構成はこの実施形態に限られるものではなく、本考案の要旨を逸脱しない範囲の設計変更等も含まれる。
【符号の説明】
【００１４】
１０  電気めっきタンク
１１  薬液貯蔵エリア
１２  吸引エリア
１３  位置決め台
２０  薬液貯蔵タンク
３０  位置決めフレーム
４０  回路基板
４１ａ、４１ｂ  スルーホール
４２  電気めっき層
５０  液体供給配管
５１  ポンプ
６０  吸引フード
７０  吸引配管
７１  吸引ポンプ
Ｗ  薬液
【図１Ａ】
0003225501.tif 000003
【図１Ｂ】
0003225501.tif 000004
【図２】
0003225501.tif 000005
【図３】
0003225501.tif 000006
【図４】
0003225501.tif 000007
【図５】
0003225501.tif 000008
【図６】
0003225501.tif 000009
【図７】
0003225501.tif 000010